(57)【特許請求の範囲】
【請求項１】
生体を撮像した撮像情報を取得する撮像情報取得部と、
前記生体の撮像範囲のうちの一部であり予め設定した第１特定領域に対応する撮像情報と、前記生体の撮像範囲のうちの一部であり前記第１特定領域と異なる予め設定した第２特定領域に対応する撮像情報とのうちいずれか一方から前記生体の部位を特定可能な特徴部位を検出して前記生体の部位を判定する部位判定部と、
を備えることを特徴とする情報処理装置。
【請求項２】
前記判定の対象となる前記生体の部位は、１以上の手指、または手のひらであり、前記特徴部位は、指股であって、
前記第１特定領域は、前記手指の撮像時に前記指股を特定可能な領域であり、
前記第２特定領域は、前記手のひらの撮像時に前記指股を特定可能な領域であり、
前記部位判定部は、前記第１特定領域で前記指股を検出した場合に前記生体の部位を手指であると判定し、前記第２特定領域で前記指股を検出した場合に前記生体の部位を手のひらであると判定する、
ことを特徴とする請求項１記載の情報処理装置。
【請求項３】
前記部位判定部が特定した前記生体の部位に応じた撮像条件で前記生体を撮像するための撮像条件を設定する撮像条件設定部を備え、
前記撮像情報取得部は、前記撮像条件で撮像した撮像情報を取得可能である、
ことを特徴とする請求項１または２に記載の情報処理装置。
【請求項４】
コンピュータに、
生体を撮像した撮像情報を取得し、
前記生体の撮像範囲のうちの一部であり予め設定した第１特定領域に対応する撮像情報と、前記生体の撮像範囲のうちの一部であり前記第１特定領域と異なる予め設定した第２特定領域に対応する撮像情報とのうちいずれか一方から前記生体の部位を特定可能な特徴部位を検出して前記生体の部位を判定する、
処理を実行させることを特徴とする生体部位判定プログラム。
【請求項５】
コンピュータが、
生体を撮像した撮像情報を取得し、
前記生体の撮像範囲のうちの一部であり予め設定した第１特定領域に対応する撮像情報と、前記生体の撮像範囲のうちの一部であり前記第１特定領域と異なる予め設定した第２特定領域に対応する撮像情報とのうちいずれか一方から前記生体の部位を特定可能な特徴部位を検出して前記生体の部位を判定する、
ことを特徴とする生体部位判定方法。
【発明の詳細な説明】
【技術分野】
【０００１】
本件は、情報処理装置、生体部位判定プログラムおよび生体部位判定方法に関する。
【背景技術】
【０００２】
現在、一般住宅の防犯対策、個人情報保護、車の盗難防止、テロ対策などのさまざまな分野においてセキュリティ技術が用いられている。その一つに指紋、虹彩、静脈などの人の生体的特徴を利用して高精度で個人を識別することのできるバイオメトリクス（生体）認証が本人確認の手段として広く利用されている。
【先行技術文献】
【特許文献】
【０００３】
【特許文献１】特開２００８−２４６０１１号公報
【特許文献２】特開２００２−８３２９８号公報
【特許文献３】特開２００７−３３４６５９号公報
【特許文献４】特開２０１０−２１８５６２号公報
【特許文献５】特開２００８−４０６１９号公報
【発明の概要】
【発明が解決しようとする課題】
【０００４】
ここで、手のひら静脈または掌紋のような手の生体情報を取得する場合、各個人について左手のひらおよび右手のひらの２の種別の生体情報が存在し得ることになる。また、指静脈または指紋のような指の生体情報を取得する場合、各個人について１０の種別（１０指）の生体情報が存在し得ることになる。このように、各個人において複数存在する生体情報を取得する場合において、生体情報を用いて本人認証をおこなう際に、照合の対象が増加する。【０００５】
また、このとき、照合の対象となる生体情報の取得部位に応じた生体情報取得装置が必要になり、生体情報取得装置を設置するためのスペースの確保が制約となる。また、複数の生体情報取得装置のうちからユーザに使用する生体情報取得装置を選択させることになり、利便性が不十分である。【０００６】
本件はこのような点に鑑みてなされたものであり、複数の生体の部位のうちから生体情報の取得対象となる部位を容易に判定可能な情報処理装置、生体部位判定プログラムおよび生体部位判定方法を提供することを目的とする。
【課題を解決するための手段】
【０００７】
上記課題を解決するために、撮像情報取得部と部位判定部とを備える情報処理装置が提供される。撮像情報取得部は、生体を撮像した撮像情報を取得する。部位判定部は、生体の撮像範囲のうちの一部であり予め設定した第１特定領域に対応する撮像情報と、生体の撮像範囲のうちの一部であり第１特定領域と異なる予め設定した第２特定領域に対応する撮像情報とのうちいずれか一方から生体の部位を特定可能な特徴部位を検出して生体の部位を判定する。
【発明の効果】
【０００８】
上記情報処理装置によれば、複数の生体の部位のうちから生体情報の取得対象となる部位を容易に判定することができる。
本発明の上記および他の目的、特徴および利点は本発明の例として好ましい実施の形態を表す添付の図面と関連した以下の説明により明らかになるであろう。
【図面の簡単な説明】
【０００９】
【図１】第１の実施の形態の情報処理装置を示す図である。
【図２】第２の実施の形態の情報処理装置の外観を示す図である。
【図３】第２の実施の形態の撮像部の外観を示す図である。
【図４】第２の実施の形態の情報処理装置を示すブロック図である。
【図５】第２の実施の形態の撮像部に示指が翳されている様子を示す図である。
【図６】第２の実施の形態の撮像部に手のひらが翳されている様子を示す図である。
【図７】特定領域として切り出された撮影画像の一例を示す図である。
【図８】第２の実施の形態の情報処理装置のハードウェア構成を示す図である。
【図９】第２の実施の形態の認証ユニットを示すブロック図である。
【図１０】第２の実施の形態の情報管理テーブルの一例を示す図である。
【図１１】第２の実施の形態の右手の手のひらの静脈の撮像時の姿勢状態を俯瞰した様子を示す図である。
【図１２】第２の実施の形態の右手の手のひらの静脈の撮像時の姿勢状態を側方から観察した様子を示す図である。
【図１３】第２の実施の形態の右手の示指の静脈の撮像時の姿勢状態を俯瞰した様子を示す図である。
【図１４】第２の実施の形態の右手の示指の静脈の撮像時の姿勢状態を側方から観察した様子を示す図である。
【図１５】第２の実施の形態の右手のひらの生体情報を登録する時のメッセージウインドウの一例を示す図である。
【図１６】第２の実施の形態の右手示指の生体情報を登録する時のメッセージウインドウの一例を示す図である。
【図１７】第２の実施の形態の登録情報登録処理を示すフローチャートである。
【図１８】第２の実施の形態の照合処理を示すフローチャートである。
【図１９】第２の実施の形態の生体判定処理を示すフローチャートである。
【図２０】第３の実施の形態の撮像部に複数の指が翳されている様子を示す図である。
【図２１】特定領域として切り出された撮影画像の一例を示す図である。
【図２２】第３の実施の形態の情報管理テーブルの一例を示す図である。
【図２３】第３の実施の形態の右手の３指の静脈の撮像時の姿勢状態を俯瞰した様子を示す図である。
【図２４】第３の実施の形態の３指からの生体情報の取得の一例を説明する図である。
【図２５】第３の実施の形態の右手の３指の生体情報を登録する時のメッセージウインドウの一例を示す図である。
【図２６】第４の実施の形態の情報処理装置を示すブロック図である。
【発明を実施するための形態】
【００１０】
以下、本実施の形態を、図面を参照して説明する。
［第１の実施の形態］
図１は、第１の実施の形態の情報処理装置を示す図である。第１の実施の形態の情報処理装置１は、撮像情報取得部２と部位判定部３とを備える。
【００１１】
撮像情報取得部２は、撮像情報４を取得する。撮像情報４は、撮像範囲７に翳した生体９を図示しない撮像装置で撮像した画像情報である。
部位判定部３は、生体９の撮像範囲７のうちの一部に予め特定領域８を設定する。特定領域８は、第１特定領域８ａと、第１特定領域８ａと異なる第２特定領域８ｂとがある。第１特定領域８ａと第２特定領域８ｂは、矩形の領域であり、同じく矩形である撮像範囲７の対向する両端部（上端部と下端部）にそれぞれ位置する。第１特定領域８ａは、撮像範囲７の下端部にあり、第２特定領域８ｂは、撮像範囲７の上端部にある。
【００１２】
手のひらを生体情報の取得部位とする場合、撮像範囲７に手が翳されたときに手首付近が第１特定領域８ａにあり、拇指を除く４指の付け根付近が第２特定領域８ｂに位置する。
【００１３】
部位判定部３は、生体９の部位を特定可能な特徴部位として指股を設定する。指股とは、隣り合う２指の付け根間にある谷間部分である。指股は、左右の手にそれぞれ、拇指（第１指）と示指（第２指）との間、示指と中指（第３指）との間、中指と薬指（第４指）との間、薬指と小指（第５指）との間にある。
【００１４】
したがって、第１特定領域８ａに対応する撮像情報５から指股を検出した場合に指（手指）が撮像範囲７にあり、第２特定領域８ｂに対応する撮像情報６から指股を検出した場合に手のひらが撮像範囲７にある。
【００１５】
部位判定部３は、撮像情報４から第１特定領域８ａに対応する撮像情報５と、撮像情報４から第２特定領域８ｂに対応する撮像情報６を抽出して、特徴部位の抽出対象とする。部位判定部３は、第１特定領域８ａに対応する撮像情報５と、第２特定領域８ｂに対応する撮像情報６のうちにある特徴部位から撮像範囲７にある生体９の部位を判定する。
【００１６】
部位判定部３は、第１特定領域８ａに対応する撮像情報５に特徴部位があり、第２特定領域８ｂに対応する撮像情報６に特徴部位がない場合に、撮像範囲７にある生体９の部位が指であると判定する。部位判定部３は、第１特定領域８ａに対応する撮像情報５に特徴部位がなく、第２特定領域８ｂに対応する撮像情報６に特徴部位がある場合に、撮像範囲７にある生体９の部位が手のひらであると判定する。
【００１７】
たとえば、部位判定部３は、図１に図示する第１特定領域８ａに対応する撮像情報５ａに特徴部位（指股）がなく、第２特定領域８ｂに対応する撮像情報６ａに特徴部位（指股）６ｂがあることから、撮像範囲７にある生体９の部位が手のひらであると判定する。
【００１８】
なお、生体情報の取得部位は、特徴部位を指股とした手のひらと指に限らず、特徴部位を脚趾（足の指）の股とした足の裏と脚趾など、特徴部位が第１特定領域８ａと第２特定領域８ｂのいずれにあるかで生体９の部位を特定できるものであれば何でもよい。
【００１９】
このようにして、情報処理装置１は、第１特定領域８ａに対応する撮像情報５と第２特定領域８ｂに対応する撮像情報６とを判定対象とするため、生体９の部位判定に要する処理負荷を小さくすることができる。これにより、情報処理装置１は、複数の生体９の部位のうちから生体情報の取得対象となる部位を容易に判定することができる。
【００２０】
［第２の実施の形態］
図２は、第２の実施の形態の情報処理装置の外観を示す図である。図２に示す情報処理装置１０は、手のひらの静脈を用いた生体認証によるセキュリティ機能が付加された、ノートタイプ（ラップトップタイプ：laptop type）のパーソナルコンピュータである。情報処理装置１０は、モニタ１５を有するディスプレイ部１４、キーボード１３、撮像部１２を有する本体部１１を有する。
【００２１】
ディスプレイ部１４および本体部１１のそれぞれは、前面、前面に対向する後面およびそれらを連結する２つの側面を備える略直方体の筐体を有する。ディスプレイ部１４と本体部１１は、本体部１１の後面寄りにおいて、図示しないヒンジにより開閉可能に連結されている。ディスプレイ部１４と本体部１１が閉状態にあるとき、情報処理装置１０の外観は全体として略直方体となる。
【００２２】
モニタ１５は、文字または画像を表示する表示画面を有する薄型表示デバイスを用いた表示装置である。キーボード１３は、文字の入力およびその他の操作をおこなうための入力装置である。
【００２３】
撮像部１２は、生体を撮像して生体情報として入力可能な入力装置である。撮像部１２は、ユーザが手のひらを翳すことで手のひらの静脈を撮像し、ユーザが指を翳すことで指の静脈を撮像する。撮像部１２は、情報処理装置１０のキーボード１３と同じ本体部１１の上面であって、キーボード１３の手前右側に配置されている。撮像部１２は、略矩形（たとえば、正方形）であり、撮像部１２の各辺が同じく略矩形の本体部１１の各辺と平行となる向きで配置されている。
【００２４】
また、本実施の形態の情報処理装置１０では、ノートタイプのパーソナルコンピュータについて説明したが、情報処理装置１０は、情報処理装置の一例である。本実施の形態のユーザ認証機能は、携帯電話やＰＤＡ（Personal Digital Assistant）をはじめとする移動通信用端末装置に適用することができる。また、本実施の形態のユーザ認証機能は、デスクトップタイプ（desktop type）のパーソナルコンピュータに適用することができる。さらに、本実施の形態のユーザ認証機能は、銀行などに設置される現金自動預け払い機（ＡＴＭ：Automated Teller Machine）、入退室管理システムなどの情報処理システムの端末装置などのように、ユーザ認証をおこなう情報処理装置に適用することができる。
【００２５】
図３は、第２の実施の形態の撮像部の外観を示す図である。図３に示す撮像部１２は、ユーザが手のひらの静脈または指の静脈を読み取らせて生体情報の入力をおこなう入力装置である。
【００２６】
撮像部１２は、ユーザの手のひらの静脈を読み取ることによって手のひらの静脈の生体情報を取得する。また、生体情報としての静脈は、体内情報であるため偽造が困難であり、手荒れや乾燥・湿潤などの体表の影響を受けないため適用率が高い。特に手のひらの静脈は、他の部位の静脈に比べて情報量が多いため識別能力が高く、静脈の血管が太いため寒暖にも左右されにくい安定した認証が可能である。また、非接触であるため衛生的で自然な操作性を実現し、ユーザの抵抗が少なく、高速な認証が可能であることを特徴とする。なお、撮像部１２は、手のひらの掌紋や指の指紋を読み取ってもよい。
【００２７】
このように、撮像部１２は、手のひらと指とを生体情報の取得対象となる生体の部位（生体情報取得部位）とすることから、ユーザが手のひらおよび指を翳すときの目安となるガイド表示１７を有する。ガイド表示１７は、撮像部１２の表面に、撮像部１２による生体情報の取得時にノイズとならない態様で表示される。ガイド表示１７は、撮像部１２の左右の辺に平行な辺を有する長方形状である。ガイド表示１７は、手の指をガイド表示１７に沿って位置させるようにユーザに案内する。また、ガイド表示１７は、手のひらを撮像部１２の中心に位置させて、ガイド表示１７に沿った方向に手を位置させるようにユーザに案内する。
【００２８】
図４は、第２の実施の形態の情報処理装置を示すブロック図である。第２の実施の形態の情報処理装置１０は、撮像情報取得部２１と、部位判定部２２と、登録情報生成部２３と、登録情報登録部２４と、登録情報記憶部２５と、照合情報生成部２６と、登録情報取得部２７と、照合部２８を有する。また、撮像情報取得部２１は、撮像部１２を有する。
【００２９】
なお、情報処理装置１０は、登録情報を登録する登録装置として機能するほか、照合情報と登録情報を照合する照合装置としても機能する。情報処理装置１０は、いずれか一方の機能に限定した登録装置あるいは照合装置であってもよい。
【００３０】
撮像情報取得部２１は、生体を撮像した生体画像（画像情報）を撮像情報として取得する。対象となる生体は、認証対象となるユーザの手のひらまたは指である。
部位判定部２２は、撮像情報に含まれる特徴部位にもとづいて撮像した生体の部位を判定する。判定対象は、手のひらまたは指である。特徴部位は、手のひらにおける指の付け根の谷間部分である、指股である。
【００３１】
ここで、部位判定部２２がおこなう手のひらと指の判定について、図５から図７を用いて説明する。図５は、第２の実施の形態の撮像部に示指が翳されている様子を示す図である。このとき、撮像情報取得部２１は、撮像部１２と同形で表された撮像範囲３０で生体９０を切り出したような生体画像を撮像情報として得る。撮像範囲３０には、予め第１特定領域３１と第２特定領域３２とが設定されている。第１特定領域３１と第２特定領域３２は、横長の長方形状である。第１特定領域３１と第２特定領域３２は、それぞれ撮像範囲３０の対向する２辺に接し、第１特定領域３１と第２特定領域３２の間に生体情報取得部位が位置するように配置される。第１特定領域３１は、撮像範囲３０の下辺に接するように配置され、第２特定領域３２は、撮像範囲３０の上辺に接するように配置される。示指を生体情報取得部位とする時に、第１特定領域３１と第２特定領域３２の間に示指が位置し、特徴部位３３（指股）が第１特定領域３１に位置する。
【００３２】
図示する生体９０（右手）の特徴部位３３は、特徴部位３３ｂ，３３ｃが撮像範囲３０の下部（撮像範囲内）に位置し、特徴部位３３ａ，３３ｄが撮像範囲３０の下方（撮像範囲外）に位置する。特徴部位３３のうち特徴部位３３ｂが第１特定領域３１に位置する。このとき、第２特定領域３２に特徴部位３３がないことから、特徴部位３３が第１特定領域３１と第２特定領域３２のいずれに位置するかを検出することにより、部位判定部２２は、生体情報取得部位が指（示指）であることを判定できる。
【００３３】
図６は、第２の実施の形態の撮像部に手のひらが翳されている様子を示す図である。手のひらを生体情報取得部位とする時に、第１特定領域３１と第２特定領域３２の間に手のひらが位置し、特徴部位３３（指股）が第２特定領域３２に位置する。
【００３４】
図示する生体９０（右手）の特徴部位３３は、特徴部位３３ａ，３３ｂ，３３ｃ，３３ｄが撮像範囲３０の上部（撮像範囲内）に位置する。特徴部位３３のうち特徴部位３３ｂ，３３ｃが第２特定領域３２に位置する。このとき、第１特定領域３１に特徴部位３３がないことから、特徴部位３３が第１特定領域３１と第２特定領域３２のいずれに位置するかを検出することにより、部位判定部２２は、生体情報取得部位が手のひらであることを判定できる。
【００３５】
図７は、特定領域として切り出された撮影画像の一例を示す図である。図７（Ａ）は、撮像部１２に示指が翳されたときの撮像情報の一部である。第１特定領域に対応する撮像情報３４は、特徴部位３３ｂを含む。第２特定領域に対応する撮像情報３５は、いずれの特徴部位３３も含まない。部位判定部２２は、第１特定領域に対応する撮像情報３４と第２特定領域に対応する撮像情報３５とから、第１特定領域３１と第２特定領域３２の間に示指が位置していることを判定できる。
【００３６】
図７（Ｂ）は、撮像部１２に手のひらが翳されたときの撮像情報の一部である。第１特定領域に対応する撮像情報３６は、いずれの特徴部位３３も含まない。第２特定領域に対応する撮像情報３７は、特徴部位３３ｂ，３３ｃを含む。部位判定部２２は、第１特定領域に対応する撮像情報３６と第２特定領域に対応する撮像情報３７とから、第１特定領域３１と第２特定領域３２の間に手のひらが位置していることを判定できる。
【００３７】
このように、指股は、手のひらと指という生体の異なる部位の判定に利用可能な共通の特徴を有する部位であることから、判定に用いられる、生体情報取得部位に共通の特徴部位３３として機能する。
【００３８】
なお、部位判定部２２は、第１特定領域に対応する撮像情報３４と第２特定領域に対応する撮像情報３５のいずれにも特徴部位３３を検出しない場合、部位判定部２２は、手のひらと指のいずれもが撮像部１２に翳されていないと判定することができる。
【００３９】
なお、図７に示した、撮影画像は、生体情報を取得する際に撮影した画像であってもよいし、生体情報を取得するための撮影画像とは別に生体情報取得部位を特定するために撮影した画像であってもよい。また、生体情報を取得するための撮影画像の撮像部と、生体情報取得部位を特定するため撮影画像の撮像部とは、同じものであってもよいし、異なるものであってもよい。
【００４０】
部位判定部２２は、第１特定領域に対応する撮像情報３４と第２特定領域に対応する撮像情報３５の被写体となる生体とその背景とのコントラスト（たとえば、背景が黒色、生体が白色）の特定パタンから指股を検出することができる。たとえば、部位判定部２２は、第１特定領域に対応する撮像情報３４と第２特定領域に対応する撮像情報３５に現われる輪郭を識別して指股を検出することができる。また、部位判定部２２は、第１特定領域に対応する撮像情報３４と第２特定領域に対応する撮像情報３５の所定位置をスキャンして得られる白黒パタンを識別して指股を検出することができる。なお、好適に指股を検出するために、部位判定部２２は、画像の二値化やノイズ除去など所要の画像処理をおこなうものであってもよい。
【００４１】
また、部位判定部２２は、１つの指股の位置、向き、角度（指股の開き具合）などから手の左右、指の種別（拇指、示指、中指、薬指、小指）を判定してもよい。さらに、部位判定部２２は、複数の指股の位置、向き、角度などの組合せから手の左右、指の種別を判定してもよい。
【００４２】
これにより、部位判定部２２は、撮像部１２に翳された生体情報取得部位を好適に判定することができる。また、部位判定部２２は、判定対象を第１特定領域に対応する撮像情報３４と第２特定領域に対応する撮像情報３５に絞り込むため、判定に要する処理負荷が比較的小さい。
【００４３】
このような情報処理装置１０は、生体の異なる部位別に生体情報取得装置（たとえば、指静脈センサと手のひら静脈センサ）を設ける必要がない。また、情報処理装置１０は、生体の異なる部位を判定するためのスイッチやガイドなどを設ける必要がない。また、情報処理装置１０は、生体の部位を特定するための入力をユーザに求めることを要しない。
【００４４】
したがって、情報処理装置１０は、省スペース化、省コスト化を図ることができる。さらに、情報処理装置１０は、撮像部１２に対して非接触に生体の部位を特定可能であり、周辺機器（たとえば、キーボード１３）に生体が触れる誤操作を防止可能である。また、情報処理装置１０は、撮像部１２に対して非接触に生体の部位を特定可能であることから、撮像部１２の汚れを防止可能であり、不特定多数のユーザが利用する環境において衛生的である。
【００４５】
再び、図４に戻る。情報処理装置１０は、照合に際して予め登録情報を登録する登録装置であり、予め登録してある登録情報と照合をおこなう照合装置でもある。情報処理装置１０は、登録装置として、撮像情報取得部２１と、部位判定部２２と、登録情報生成部２３と、登録情報登録部２４と、登録情報記憶部２５を有する。また、情報処理装置１０は、照合装置として、撮像情報取得部２１と、部位判定部２２と、登録情報記憶部２５と、照合情報生成部２６と、登録情報取得部２７と、照合部２８を有する。
【００４６】
登録情報生成部２３は、撮像情報取得部２１より取得した撮像情報から、生体に固有の特徴を示す生体情報を生成（取得）する。生体情報は、生体に固有の情報であり、生体を一意に特定可能な識別情報である。登録情報生成部２３は、部位判定部２２によって判定された生体の部位を部位情報として取得する。登録情報生成部２３は、生体情報と、部位情報と、生体情報に対応するユーザを特定可能なユーザ情報（たとえば、ユーザＩＤ（IDentification））とを含む登録情報を生成する。
【００４７】
登録情報登録部２４は、登録情報生成部２３が生成した登録情報を登録情報記憶部２５に登録する。これにより、認証に使用する予め登録された正規の権限を有するユーザの生体情報および生体情報取得部位（手のひらか指か）と手の左右とユーザ情報が登録情報記憶部２５に登録される。
【００４８】
登録情報記憶部２５は、登録情報を記憶する。登録情報記憶部２５は、情報処理装置１０が備える記憶装置とすることができる。また、情報処理装置１０は、情報処理装置１０の外部に登録情報記憶部２５を備えてもよく、その場合、情報処理装置１０は、登録情報記憶部２５にアクセスするアクセス部を備える。たとえば、ネットワークに接続されたサーバが登録情報記憶部２５を備える場合、情報処理装置１０は、アクセス部としてサーバへの通信手段を備え、安全のため暗号化手段および復号手段を備える。また、ＩＣ（Integrated Circuit）カードなどの記憶媒体に登録情報記憶部２５を備える場合、情報処理装置１０は、アクセス部としてＩＣカードへのリードライト手段を備え、安全のため暗号化手段および復号手段を備える。
【００４９】
照合情報生成部２６は、撮像情報取得部２１より取得した撮像情報から、生体に固有の特徴を示す生体情報を生成（取得）する。照合情報生成部２６は、部位判定部２２によって判定された生体の部位を部位情報として取得する。照合情報生成部２６は、生体情報と、部位情報とを含む照合情報を生成する。
【００５０】
登録情報取得部２７は、ユーザ情報を特定（たとえば、ユーザ入力による）して登録情報記憶部２５から登録情報を取得する。
照合部２８は、登録情報取得部２７が取得した登録情報と、照合情報生成部２６が生成した照合情報とにもとづいて生体情報取得部位の対応をとって生体情報の照合をおこなう。
【００５１】
情報処理装置１０は、照合部２８の照合結果にもとづいてユーザの生体認証をおこなう。情報処理装置１０は、生体情報取得部位の対応をとって生体情報の照合をおこなうので、照合の処理に要する時間や負荷の増加を抑制することができる。
【００５２】
次に、第２の実施形態の情報処理装置１０のハードウェア構成について図８を用いて説明する。図８は、第２の実施の形態の情報処理装置のハードウェア構成を示す図である。
情報処理装置１０は、コンピュータ１００と、コンピュータ１００に接続する複数の周辺機器を含む。コンピュータ１００は、プロセッサ１０１によって装置全体が制御されている。プロセッサ１０１には、バス１０９を介してＲＡＭ（Random Access Memory）１０２と複数の周辺機器が接続されている。プロセッサ１０１は、マルチプロセッサであってもよい。プロセッサ１０１は、たとえばＣＰＵ（Central Processing Unit）、ＭＰＵ（Micro Processing Unit）、ＤＳＰ（Digital Signal Processor）、ＡＳＩＣ（Application Specific Integrated Circuit）、またはＰＬＤ（Programmable Logic Device）である。またプロセッサ１０１は、ＣＰＵ、ＭＰＵ、ＤＳＰ、ＡＳＩＣ、ＰＬＤのうちの２以上の要素の組み合わせであってもよい。
【００５３】
ＲＡＭ１０２は、コンピュータ１００の主記憶装置として使用される。ＲＡＭ１０２には、プロセッサ１０１に実行させるＯＳ（Operating System）のプログラムやアプリケーションプログラムの少なくとも一部が一時的に格納される。また、ＲＡＭ１０２には、プロセッサ１０１による処理に必要な各種データが格納される。
【００５４】
バス１０９に接続されている周辺機器としては、ＨＤＤ（Hard Disk Drive）１０３、グラフィック処理装置１０４、入力インタフェース１０５、光学ドライブ装置１０６、機器接続インタフェース１０７およびネットワークインタフェース１０８がある。
【００５５】
ＨＤＤ１０３は、内蔵したディスクに対して、磁気的にデータの書き込みおよび読み出しをおこなう。ＨＤＤ１０３は、コンピュータ１００の補助記憶装置として使用される。ＨＤＤ１０３には、ＯＳのプログラム、アプリケーションプログラム、および各種データが格納される。なお、補助記憶装置としては、フラッシュメモリなどの半導体記憶装置を使用することもできる。
【００５６】
グラフィック処理装置１０４には、モニタ１５が接続されている。グラフィック処理装置１０４は、プロセッサ１０１からの命令に従って、画像をモニタ１５の画面に表示させる。モニタ１５としては、たとえば、ＬＣＤ（Liquid Crystal Display）やＣＲＴ（Cathode Ray Tube）、ＰＤＰ（Plasma Display Panel）、ＯＥＬ（Organic Electro-Luminescence）を用いた表示装置などがある。
【００５７】
入力インタフェース１０５には、キーボード１３とマウス１１２と認証ユニット５０が接続されている。入力インタフェース１０５は、キーボード１３やマウス１１２、認証ユニット５０から送られてくる信号をプロセッサ１０１に送信する。なお、マウス１１２は、ポインティングデバイスの一例であり、他のポインティングデバイスを使用することもできる。他のポインティングデバイスとしては、タッチパネル、タブレット、タッチパッド、トラックボールなどがある。認証ユニット５０は、撮像部１２と後述する認証制御部とを備え、生体情報の取得および認証制御をおこなうユニットである。認証ユニット５０については、図９を用いて後で説明する。
【００５８】
光学ドライブ装置１０６は、レーザ光などを利用して、光ディスク１１３に記録されたデータの読み取りをおこなう。光ディスク１１３は、光の反射によって読み取り可能なようにデータが記録された可搬型の記録媒体である。光ディスク１１３には、ＤＶＤ（Digital Versatile Disc）、ＤＶＤ−ＲＡＭ、ＣＤ−ＲＯＭ（Compact Disc Read Only Memory）、ＣＤ−Ｒ（Recordable）／ＲＷ（ReWritable）などがある。
【００５９】
機器接続インタフェース１０７は、コンピュータ１００に周辺機器を接続するための通信インタフェースである。たとえば、機器接続インタフェース１０７には、メモリ装置１１４やメモリリーダライタ１１５を接続することができる。メモリ装置１１４は、機器接続インタフェース１０７との通信機能を搭載した記録媒体である。メモリリーダライタ１１５は、メモリカード１１６へのデータの書き込み、またはメモリカード１１６からのデータの読み出しをおこなう装置である。メモリカード１１６は、ＩＣカードなどのカード型の記録媒体である。
【００６０】
ネットワークインタフェース１０８は、ネットワーク１１０に接続されている。ネットワークインタフェース１０８は、ネットワーク１１０を介して、他のコンピュータまたは通信機器との間でデータの送受信をおこなう。
【００６１】
以上のようなハードウェア構成によって、第２の実施形態のコンピュータ１００の処理機能を実現することができる。なお、第１の実施形態に示した情報処理装置１、および認証ユニット５０も、図８に示したコンピュータ１００と同様のハードウェアにより実現することができる。
【００６２】
コンピュータ１００は、たとえば、コンピュータ読み取り可能な記録媒体に記録されたプログラムを実行することにより、第２の実施形態の処理機能を実現する。コンピュータ１００に実行させる処理内容を記述したプログラムは、様々な記録媒体に記録しておくことができる。たとえば、コンピュータ１００に実行させるプログラムをＨＤＤ１０３に格納しておくことができる。プロセッサ１０１は、ＨＤＤ１０３内のプログラムの少なくとも一部をＲＡＭ１０２にロードし、プログラムを実行する。また、コンピュータ１００に実行させるプログラムを、光ディスク１１３、メモリ装置１１４、メモリカード１１６などの可搬型記録媒体に記録しておくこともできる。可搬型記録媒体に格納されたプログラムは、たとえばプロセッサ１０１からの制御により、ＨＤＤ１０３にインストールされた後、実行可能となる。またプロセッサ１０１が、可搬型記録媒体から直接プログラムを読み出して実行することもできる。
【００６３】
次に、第２の実施形態の情報処理装置１０のハードウェア構成について図９を用いて説明する。図９は、第２の実施の形態の認証ユニットを示すブロック図である。
認証ユニット５０は、撮像部１２と認証制御部５１とを備える。認証制御部５１は、ユーザの手のひらまたは指の静脈から取得された生体情報の入力を受け付けて、登録情報や照合情報を生成する。また、認証制御部５１は、登録情報と照合情報とにもとづいて認証をおこなう。認証制御部５１は、認証に成功した場合、情報処理装置１０において、たとえば、情報処理装置１０の起動が可能になるなど、情報処理装置１０の所定の処理が実行される。
【００６４】
したがって、認証制御部５１は、撮像情報取得部２１と、部位判定部２２と、登録情報生成部２３と、登録情報登録部２４と、登録情報記憶部２５と、照合情報生成部２６と、登録情報取得部２７と、照合部２８として機能する。
【００６５】
撮像部１２は、生体検出部５２と、撮像素子５３と、光源部５４を備える。撮像部１２は、ユーザが手のひらまたは指を撮像部１２に翳すことで、手のひらまたは指の静脈を読み取り生体情報の入力をおこなう入力装置である。
【００６６】
生体検出部５２は、撮像部１２の撮像範囲であって、撮像部１２から所定の高さ（たとえば、５ｃｍ）に生体が位置したことを検出する。生体検出部５２は、たとえば、距離センサである。なお、生体検出部５２は、センシング結果を撮像素子５３の撮像タイミングの制御に用いるほか、ユーザに対する手翳しの高さの案内報知に用いることができる。
【００６７】
撮像素子５３は、生体を撮像して撮像情報を生成する。撮像素子５３は、ＣＭＯＳ（Complementary Metal Oxide Semiconductor）イメージセンサやＣＣＤ（Charge Coupled Device）イメージセンサなどを用いることができる。
【００６８】
光源部５４は、生体を照明する光源である。光源部５４は、撮像素子５３が静脈を撮像する際に近赤外光を照射する。生体検出部５２によって手のひらまたは指が検出されると、手のひらまたは指に対して光源部５４より近赤外光が照射され、撮像素子５３により手のひらまたは指部分が撮像される。これにより、手のひらまたは指の皮下組織にある静脈中の還元ヘモグロビンが近赤外光を吸収するため黒く映し出され、撮像素子５３は、網目状の生体画像を取得できる。
【００６９】
光源部５４は、複数の発光態様（強度、範囲など）を有し、被写体に応じて発光態様を切り替えることができ、たとえば、手のひらを被写体とする場合に発光範囲を広くし、指を被写体とする場合に発光範囲を狭くすることができる。
【００７０】
撮像部１２に手のひらまたは指の静脈を読み取らせる場合、ユーザは、撮像部１２に対して静脈を読み取らせる方の手のひらまたは指の腹を向ける。これにより、撮像部１２は、ユーザの手のひらまたは指の静脈を読み取ることができる。
【００７１】
なお、撮像部１２は、情報処理装置１０に内蔵される場合に限らず、外部接続されるものであってもよい。
なお、認証制御部５１は、撮像部１２が撮像した撮像情報から生体の部位判定をおこなうが、生体検出部５２が生体を撮像した撮像情報にもとづいて生体の部位判定をおこなうものであってもよい。その場合、生体検出部５２は、距離センサとしてＣＭＯＳイメージセンサやＣＣＤイメージセンサなどを用いることができる。
【００７２】
次に、第２の実施形態の情報管理テーブルについて図１０を用いて説明する。図１０は、第２の実施の形態の情報管理テーブルの一例を示す図である。図１０に示す情報管理テーブル１２０は、情報処理装置１０が有する登録情報記憶部２５に設定される。情報管理テーブル１２０は、情報処理装置１０が認証に用いる登録情報を管理するテーブルである。
【００７３】
情報管理テーブル１２０は、項目として“番号”、“ＩＤ”、“左右”、“特徴データ”が設けられている。“特徴データ”は、さらにサブ項目として、“手”と“指” が設けられている。情報管理テーブル１２０は、各項目の情報が、登録情報として互いに関連付けられる。
【００７４】
項目“番号”は、登録情報を一意に識別するためにシーケンシャルに付与された識別番号である。項目“ＩＤ”は、ユーザを一意に識別するための識別情報である。たとえば、ＩＤ「ａ００００１」は、情報処理装置１０によって特定可能な唯一人のユーザに付与された識別情報である。
【００７５】
項目“左右”は、特徴データとして登録されている生体情報の取得部位が生体の左右のいずれに属するかを区別するための情報である。項目“特徴データ”は、ユーザに固有の生体情報であり、“手”と“指”とを登録可能にしている。なお、図示する生体情報は、“手”と“指”を両方有するが、いずれか一方であってもよい。項目“手”は、手のひらの生体情報であり、項目“左右”によって、右手の手のひらであるか左手の手のひらであるかを特定することができる。項目“指”は、指の生体情報であり、項目“左右”によって、右手の指であるか左手の指であるかを特定することができる。なお、指は、デフォルトとして示指（人差し指）を示すが、ユーザ毎に設定するものであってもよい。
【００７６】
たとえば、特徴データ：手「ＤＡＴＡＬ００００１」は、左手の手のひらの生体情報（であり、特徴データ：指「ＤＡＴＡ２Ｌ００００１」は、左手の示指の生体情報である。なお、特徴データ：手「ＤＡＴＡＬ００００１」、特徴データ：指「ＤＡＴＡ２Ｌ００００１」は、具体的な生体情報として情報管理テーブル１２０に登録されるものであってもよいし、具体的な生体情報の参照先を示す情報であってもよい。
【００７７】
このように、情報管理テーブル１２０は、項目“左右”およびサブ項目“手”と“指”を生体情報取得部位を特定可能にする部位情報として管理し、サブ項目“手”と“指”に格納される情報を生体情報として管理する。
【００７８】
なお、情報管理テーブル１２０は、情報管理テーブルの一例であり、任意の項目を設定することができる。
次に、生体情報の取得時の生体の姿勢例として、右手の手のひらの静脈の撮像時の姿勢状態について、図１１および図１２を用いて説明する。図１１は、第２の実施の形態の右手の手のひらの静脈の撮像時の姿勢状態を俯瞰した様子を示す図である。図１２は、第２の実施の形態の右手の手のひらの静脈の撮像時の姿勢状態を側方から観察した様子を示す図である。
【００７９】
情報処理装置１０は、本体部１１が机上などに載置された状態で、ディスプレイ部１４の表示面がユーザ前方に位置する状態である。本体部１１の上面には、キーボード１３、撮像部１２が設けられている。撮像部１２は、長方形のガイド表示１７を有する略正方形状の撮像面を有し、キーボード１３の手前右側に配置されている。撮像面は、各辺が情報処理装置１０の前面および側面に平行になるように配置されている。
【００８０】
また、情報処理装置１０で生体認証をおこなう際のユーザの姿勢を示す。たとえば、ユーザは、ユーザの頭部７０、体幹部７１を情報処理装置１０の正面に向けて、右上腕部７２および右前腕部７３を所要の姿勢にして右手のひら（右手の手のひら）７４を撮像部１２の上方に位置させる。
【００８１】
ユーザに手のひらの静脈を撮像部１２に撮像させる場合、図１１に示すように、静脈を撮像させる右手のひら７４を、手の向きが情報処理装置１０の側面に対して平行になるように位置させる。このとき、ユーザは、右手のひら７４の中心を撮像部１２の中心に合わせ、中指をガイド表示１７の延長方向に向ける。また、ユーザは、右手のひら７４の各指（右手拇指７５、右手示指７６、右手中指７７、右手薬指７８、および右手小指７９）を開いた状態で、撮像面から一定の距離（たとえば、５ｃｍ）離した空間上に右手のひら７４を位置させる。
【００８２】
図１１および図１２に示すユーザの姿勢は、右手のひら７４が撮像面に対してねじれがなく、特徴部位３３が明瞭であることから、撮像対象である右手のひら７４の特定を容易におこなえるほか、好適な生体情報（静脈像）を取得することが期待できる。したがって、情報処理装置１０は、生体情報の登録や照合を迅速かつ確実におこなうことができる。
【００８３】
なお、手のひらの撮像面に対するねじれは、ピッチング方向、ヨーイング方向、およびローリング方向がある。
なお、図１１および図１２では、ユーザの右手のひら７４の静脈を撮像する場合について説明したが、左手のひらの静脈を撮像する場合、あるいは静脈に代えて掌紋を撮像する場合についても同様である。
【００８４】
また、ユーザの右手の各指は、右手のひら７４とともに本体部１１の上面から一定の距離だけ離れた空間上に位置している。このため、情報処理装置１０は、キーボード１３やその他の操作部に指や手のひらが触れて誤操作を起こすことを抑制できる。
【００８５】
次に、生体情報の取得時の生体の姿勢例として、右手の示指の静脈の撮像時の姿勢状態について、図１３および図１４を用いて説明する。図１３は、第２の実施の形態の右手の示指の静脈の撮像時の姿勢状態を俯瞰した様子を示す図である。図１４は、第２の実施の形態の右手の示指の静脈の撮像時の姿勢状態を側方から観察した様子を示す図である。
【００８６】
情報処理装置１０で生体認証をおこなう際のユーザの姿勢を示す。たとえば、ユーザは、ユーザの頭部７０、体幹部７１を情報処理装置１０の正面に向けて、右上腕部７２および右前腕部７３を所要の姿勢にして右手示指７６を撮像部１２の上方に位置させる。
【００８７】
ユーザに指の静脈を撮像部１２に撮像させる場合、図１３に示すように、静脈を撮像させる右手示指７６を、右手示指７６の向きが情報処理装置１０の側面に対して平行になるように位置させる。このとき、ユーザは、右手示指７６の短径方向の中心を撮像部１２の中心に合わせ、右手示指７６をガイド表示１７に合わせる。また、ユーザは、右手示指７６と隣り合う右手拇指７５と右手中指７７を大きく開いた状態で、撮像面から一定の距離（たとえば、５ｃｍ）離した空間上に右手示指７６を位置させる。このとき、右手示指７６と右手拇指７５の間、および右手示指７６と右手中指７７の間は大きく開き、特徴部位３３ａ，３３ｂは、明瞭である。
【００８８】
図１３および図１４に示すユーザの姿勢は、右手示指７６を長軸として、右手のひら７４が撮像面に対してねじれがなく、特徴部位３３が明瞭であることから、撮像対象である右手示指７６の特定を容易におこなえるほか、好適な生体情報（静脈像）を取得することが期待できる。したがって、情報処理装置１０は、生体情報の登録や照合を迅速かつ確実におこなうことができる。
【００８９】
なお、図１３および図１４では、ユーザの右手示指７６の静脈を撮像する場合について説明したが、左手示指、あるいはその他の指の静脈を撮像する場合、あるいは静脈に代えて指紋を撮像する場合についても同様である。
【００９０】
また、ユーザの右手の各指は、本体部１１の上面から一定の距離だけ離れた空間上に位置している。このため、情報処理装置１０は、キーボード１３やその他の操作部に指や手のひらが触れて誤操作を起こすことを抑制できる。
【００９１】
次に、生体情報を登録する際に、モニタ１５の表示画面に表示するメッセージウインドウについて図１５、図１６を用いて説明する。図１５は、第２の実施の形態の右手のひらの生体情報を登録する時のメッセージウインドウの一例を示す図である。
【００９２】
メッセージウインドウ１２２は、情報処理装置１０が有するモニタ１５の表示画面に表示されるウインドウの一例である。メッセージウインドウ１２２は、ユーザの右手のひら７４を撮像して取得した生体情報の登録に成功したことを通知するメッセージおよび画像を表示する。メッセージウインドウ１２２は、たとえば、「右手のひらの登録に成功しました。」というメッセージ１２３と、登録の際に撮像された右手のひら７４の静脈を示す生体画像１２４を表示情報として含む。メッセージウインドウ１２２は、ＯＫボタン１２５などの操作アイコンを表示する。ユーザは、メッセージウインドウ１２２の表示内容を確認した場合、ＯＫボタン１２５を操作することにより、メッセージウインドウ１２２の表示を終了させることができる。
【００９３】
図１６は、第２の実施の形態の右手示指の生体情報を登録する時のメッセージウインドウの一例を示す図である。メッセージウインドウ１２６は、情報処理装置１０が有するモニタ１５の表示画面に表示されるウインドウの一例である。メッセージウインドウ１２６は、ユーザの右手示指７６を撮像して取得した生体情報の登録に成功したことを通知するメッセージおよび画像を表示する。メッセージウインドウ１２６は、たとえば、「右手の人差指の登録に成功しました。」というメッセージ１２７と、登録の際に撮像された右手示指７６の静脈を示す生体画像１２８を表示情報として含む。メッセージウインドウ１２６は、ＯＫボタン１２９などの操作アイコンを表示する。ユーザは、メッセージウインドウ１２６の表示内容を確認した場合、ＯＫボタン１２９を操作することにより、メッセージウインドウ１２６の表示を終了させることができる。
【００９４】
次に、認証制御部５１が実行する登録情報登録処理について図１７を用いて説明する。図１７は、第２の実施の形態の登録情報登録処理を示すフローチャートである。登録情報登録処理は、静脈の特徴を有する生体情報を含む登録情報を生成して登録する処理である。登録情報登録処理は、たとえば、ユーザ認証に用いる生体情報を予め登録する際に、認証制御部５１により実行される。
【００９５】
［ステップＳ１１］認証制御部５１（撮像情報取得部２１）は、撮像部１２が有する生体検出部５２により、撮像部１２上の所定高さの位置に生体（手のひらまたは指）が位置したことを検出する。撮像情報取得部２１は、生体を検出すると、撮像素子５３により、生体部位判定用の生体画像を撮像して撮像情報を取得する。
【００９６】
［ステップＳ１２］認証制御部５１（部位判定部２２）は、取得した撮像情報にもとづいて生体の部位を判定する生体判定処理を実行する。なお、生体判定処理は、予め選択肢として用意されている選択肢となる生体の部位のうちから、特定領域（第１特定領域３１、第２特定領域３２）にある特徴部位３３の態様にもとづいて尤もらしい生体の部位を選択する処理である。生体判定処理については、図１９を用いて後で説明する。
【００９７】
［ステップＳ１３］認証制御部５１（撮像情報取得部２１）は、生体の部位の判定結果にもとづいて撮像条件を設定する。たとえば、撮像情報取得部２１は、生体の部位に応じて光源部５４の発光態様を設定する。なお、撮像情報取得部２１は、生体の部位に応じて撮像素子５３の撮像条件（感度や画像の大きさ、解像度など）を設定してもよい。
【００９８】
［ステップＳ１４］認証制御部５１（撮像情報取得部２１）は、撮像素子５３により、登録情報用の生体画像を撮像して撮像情報を取得する。
［ステップＳ１５］認証制御部５１（登録情報生成部２３）は、取得した撮像情報（生体画像）にもとづいて静脈像（生体の特徴）を抽出する。登録情報生成部２３は、抽出した静脈像にもとづいて生体情報を生成する。なお、生体情報は、たとえば、生体画像に映った静脈における特徴点（静脈の分岐点など）を示す情報であってもよい。あるいは、生体情報は、生体画像から静脈が映った領域を切り出した画像情報であってもよい。あるいは、生体情報は、生体画像そのものであってもよい。
【００９９】
［ステップＳ１６］登録情報生成部２３は、生体の部位を特定可能な部位情報と、生体情報、さらにユーザのＩＤなどの管理情報を含めて登録情報を生成する。
［ステップＳ１７］認証制御部５１（登録情報登録部２４）は、登録情報記憶部２５に登録情報を登録して登録情報登録処理を終了する。登録情報は、登録情報記憶部２５に設定された情報管理テーブルに記録される。
【０１００】
次に、認証制御部５１が実行する照合処理について図１８を用いて説明する。図１８は、第２の実施の形態の照合処理を示すフローチャートである。照合処理は、予め登録してある登録情報にもとづいて照合時に生成した生体情報を照合する処理である。照合処理は、たとえば、ユーザ認証をおこなう際に、認証制御部５１により実行される。
【０１０１】
［ステップＳ２１］認証制御部５１（部位判定部２２）は、取得した撮像情報にもとづいて生体の部位を判定する生体判定処理を実行する。
［ステップＳ２２］認証制御部５１（撮像情報取得部２１）は、生体の部位の判定結果にもとづいて撮像条件を設定する。
【０１０２】
［ステップＳ２３］認証制御部５１（撮像情報取得部２１）は、撮像素子５３により、照合情報用の生体画像を撮像して撮像情報を取得する。
［ステップＳ２４］認証制御部５１（照合情報生成部２６）は、取得した撮像情報（生体画像）にもとづいて静脈像（生体の特徴）を抽出する。照合情報生成部２６は、抽出した静脈像にもとづいて生体情報を生成する。
【０１０３】
［ステップＳ２５］認証制御部５１（照合情報生成部２６）は、生体の部位を特定可能な部位情報と、生体情報を含む照合情報を生成する。
［ステップＳ２６］認証制御部５１（登録情報取得部２７）は、登録情報記憶部２５からユーザのＩＤをキーにして登録情報を取得する。認証制御部５１（照合部２８）は、照合情報に含まれる部位情報から、登録情報に含まれる、照合情報に含まれる部位情報に対応する生体情報と、照合情報に含まれる生体情報とを比較して照合する。照合部２８は、登録情報に含まれる生体情報と、照合情報に含まれる生体情報が所定の確からしさで一致すれば照合成功とし、一致しなければ照合失敗とする。
【０１０４】
［ステップＳ２７］照合部２８は、照合結果を報知（出力）して照合処理を終了する。
次に、認証制御部５１が実行する生体判定処理について図１９を用いて説明する。図１９は、第２の実施の形態の生体判定処理を示すフローチャートである。生体判定処理は、予め選択肢として用意されている選択肢となる生体の部位のうちから、特定領域（第１特定領域３１、第２特定領域３２）にある特徴部位３３の態様にもとづいて尤もらしい生体の部位を選択する処理である。生体判定処理は、登録情報登録処理のステップＳ１２、および照合処理のステップＳ２１で、認証制御部５１（部位判定部２２）により実行される。
【０１０５】
［ステップＳ３１］部位判定部２２は、撮像情報のうちから第１特定領域３１に対応する画像を取得する。
［ステップＳ３２］部位判定部２２は、撮像情報のうちから第２特定領域３２に対応する画像を取得する。
【０１０６】
［ステップＳ３３］部位判定部２２は、第１特定領域３１に対応する画像および第２特定領域３２に対応する画像のパタン評価をおこなう。
［ステップＳ３４］部位判定部２２は、生体情報取得部位を特定する。部位判定部２２は、パタン評価により第１特定領域３１に特徴部位３３があるか否か、第２特定領域３２に特徴部位３３があるか否かを判定する。部位判定部２２は、予め生体情報取得部位として手のひらと指を選択肢として有することから、撮像情報が手のひらであるか、あるいは指であるか、あるいはいずれでもないかを判定結果とする。なお、部位判定部２２は、併せて画像のパタン評価により、手のひらまたは指が左右いずれの手のものかを判定する。たとえば、手のひらまたは指が左右いずれの手のものかの判定は、複数の特徴部位３３の相対的位置関係、特定領域に対する各特徴部位３３の位置関係、各特徴部位３３の態様（指股の開き角度など）などにもとづいておこなうことができる。また、手のひらまたは指が左右いずれの手のものかの判定は、統計的に得られるパタンとの比較によりおこなうことができる。
【０１０７】
［ステップＳ３５］部位判定部２２は、特定した生体情報取得部位が指か否かを判定する。部位判定部２２は、特定した生体情報取得部位が指である場合にステップＳ３６にすすみ、指でない場合にステップＳ３７にすすむ。
【０１０８】
［ステップＳ３６］部位判定部２２は、特定した生体情報取得部位が指である場合に、いずれの指（拇指、示指、中指、薬指、または小指）であるかを特定可能な情報をユーザから受け付ける。なお、部位判定部２２は、ユーザからの受付に代えて、画像のパタン評価によりいずれの指であるかを特定してもよい。また、部位判定部２２は、画像のパタン評価によりいずれの指であるかを特定した結果についてユーザに確認を求めるものであってもよい。
【０１０９】
［ステップＳ３７］部位判定部２２は、判定結果にもとづいて生体情報取得部位を特定可能な情報を部位情報として生成する。
以上の処理を実行することにより、情報処理装置１０は、複数の生体の部位のうちから生体情報の取得対象となる部位を容易に判定することができる。
【０１１０】
［第３の実施の形態］
第３の実施の形態は、情報処理装置が複数の特定の指の静脈の生体情報を同時に読み取る点で、第２の実施の形態と異なる。第３の実施の形態の説明では、第２の実施の形態との差異を中心に説明し、同様の事項については同一の符号を使用して説明を省略する。
【０１１１】
第３の実施の形態の情報処理装置は、第２の実施の形態の情報処理装置１０と同様の構成とすることができる。以下、第３の実施の形態の情報処理装置も情報処理装置１０と称する。
【０１１２】
ここで、部位判定部２２がおこなう手のひらと指の判定について、図２０および図２１を用いて説明する。図２０は、第３の実施の形態の撮像部に複数の指が翳されている様子を示す図である。このとき、撮像情報取得部２１は、撮像部１２と同形で表された撮像範囲３０で生体９０を切り出したような生体画像を撮像情報として得る。撮像範囲３０には、予め第１特定領域３１と第２特定領域３２とが設定されている。
【０１１３】
示指と中指と薬指の３指を生体情報取得部位とする時に、第１特定領域３１と第２特定領域３２の間に３指が位置し、特徴部位３３（指股）が第１特定領域３１に位置する。
図示する生体９０（右手）の特徴部位３３は、特徴部位３３ｂ，３３ｃが撮像範囲３０の下部（撮像範囲内）に位置し、特徴部位３３ａ，３３ｄが撮像範囲３０の下方（撮像範囲外）に位置する。特徴部位３３のうち特徴部位３３ｂ，３３ｃが第１特定領域３１に位置する。このとき、第２特定領域３２に特徴部位３３がないことから、特徴部位３３が第１特定領域３１と第２特定領域３２のいずれに位置するかを検出することにより、部位判定部２２は、生体情報取得部位が指であることを判定できる。
【０１１４】
図２１は、特定領域として切り出された撮影画像の一例を示す図である。図２１は、撮像部１２に３指（示指と中指と薬指）が翳されたときの撮像情報の一部である。第１特定領域に対応する撮像情報３８は、特徴部位３３ｂ，３３ｃを含む。第２特定領域に対応する撮像情報３９は、いずれの特徴部位３３も含まない。部位判定部２２は、第１特定領域３１の所要位置に特徴部位３３ｂ，３３ｃが所定の位置関係で位置することから、生体情報取得部位が示指と中指と薬指の３指であることを判定できる。また、部位判定部２２は、第２特定領域３２の所要位置に指先を検出することで、指を特定することもできる。
【０１１５】
登録情報生成部２３は、生体情報取得部位として、手の左右を含めて示指と中指と薬指を特定可能な部位情報と、３指の生体情報を含む登録情報を生成する。登録情報登録部２４は、登録情報生成部２３が生成した登録情報を登録情報記憶部２５に登録する。これにより、認証に使用する予め登録された正規の権限を有するユーザの生体情報および生体情報取得部位（３指の内訳）と手の左右とユーザ情報が登録情報記憶部２５に登録される。
【０１１６】
照合部２８は、登録情報取得部２７が取得した登録情報と、照合情報生成部２６が生成した照合情報とにもとづいて生体情報取得部位の対応をとって生体情報の照合をおこなう。照合部２８は、セキュリティ性を高めるために、右手または左手の示指、中指および薬指の３指またはいずれか２指について照合をおこなうことが可能である。あるいは、照合部２８は、３指のうち、いずれか１指が所定の確からしさで一致すれば照合成功とすることも可能である。あるいは、照合部２８は、左右いずれかの手のひらと３指の４つの生体情報取得部位について、所定の確からしさで一致すれば照合成功とすることも可能である。情報処理装置１０は、システムに求められる要件に応じて照合条件を柔軟に設計可能である。
【０１１７】
登録情報記憶部２５は、左右いずれかの手のひらと３指の４つの生体情報取得部位を特定可能な部位情報を登録情報に含めて記憶する。
次に、第３の実施形態の情報管理テーブルについて図２２を用いて説明する。図２２は、第３の実施の形態の情報管理テーブルの一例を示す図である。図２２に示す情報管理テーブル１３０は、情報処理装置１０が有する登録情報記憶部２５に設定される。情報管理テーブル１３０は、情報処理装置１０が認証に用いる登録情報を管理するテーブルである。
【０１１８】
情報管理テーブル１３０は、項目として“番号”、“ＩＤ”、“左右”、“特徴データ”が設けられている。“特徴データ”は、さらにサブ項目として、“手”と“指２”と“指３”と“指４”とが設けられている。情報管理テーブル１３０は、各項目の情報が、登録情報として互いに関連付けられる。
【０１１９】
項目“番号”は、登録情報を一意に識別するためにシーケンシャルに付与された識別番号である。項目“ＩＤ”は、ユーザを一意に識別するための識別情報である。たとえば、ＩＤ「ａ００００１」は、情報処理装置１０によって特定可能な唯一人のユーザに付与された識別情報である。
【０１２０】
項目“左右”は、特徴データとして登録されている生体情報の取得部位が生体の左右のいずれに属するかを区別するための情報である。項目“特徴データ”は、ユーザに固有の生体情報であり、“手”と“指２”と“指３”と“指４”とを登録可能にしている。項目“手”は、手のひらの生体情報であり、項目“左右”によって、右手の手のひらであるか左手の手のひらであるかを特定することができる。項目“指２”は、示指の生体情報であり、項目“左右”によって、右手の示指であるか左手の示指であるかを特定することができる。項目“指３”は、中指の生体情報であり、項目“左右”によって、右手の中指であるか左手の中指であるかを特定することができる。項目“指４”は、薬指の生体情報であり、項目“左右”によって、右手の薬指であるか左手の薬指であるかを特定することができる。なお、３指は、デフォルトとして示指と中指と薬指を示すが、小指を含めるなどユーザ毎に設定するものであってもよい。
【０１２１】
たとえば、特徴データ：手「ＤＡＴＡＬ００００１」は、左手の手のひらの生体情報であり、特徴データ：指２「ＤＡＴＡ２Ｌ００００１」は、左手の示指の生体情報である。特徴データ：指３「ＤＡＴＡ３Ｌ００００１」は、左手の中指の生体情報であり、特徴データ：指４「ＤＡＴＡ４Ｌ００００１」は、左手の薬指の生体情報である。
【０１２２】
このように、情報管理テーブル１３０は、項目“左右”およびサブ項目“手”と“指２”と“指３”と“指４”を生体情報取得部位を特定可能にする部位情報として管理する。また、情報管理テーブル１３０は、サブ項目“手”と“指２”と“指３”と“指４”に格納される情報を生体情報として管理する。
【０１２３】
なお、情報管理テーブル１３０は、情報管理テーブルの一例であり、任意の項目を設定することができる。
次に、生体情報の取得時の生体の姿勢例として、右手の３指の静脈の撮像時の姿勢状態について、図２３を用いて説明する。図２３は、第３の実施の形態の右手の３指の静脈の撮像時の姿勢状態を俯瞰した様子を示す図である。なお、右手の３指の静脈の撮像時の姿勢状態を側方から観察した様子は、図１４に示した様子と同様である。
【０１２４】
情報処理装置１０で生体認証をおこなう際のユーザの姿勢を示す。たとえば、ユーザは、ユーザの頭部７０、体幹部７１を情報処理装置１０の正面に向けて、右上腕部７２および右前腕部７３を所要の姿勢にして右手の３指（右手示指７６、右手中指７７、右手薬指７８）を撮像部１２の上方に位置させる。
【０１２５】
ユーザに３指の静脈を撮像部１２に撮像させる場合、図２３に示すように、静脈を撮像させる右手の３指を、右手中指７７の向きが情報処理装置１０の側面に対して平行になるように位置させる。このとき、ユーザは、右手中指７７の短径方向の中心を撮像部１２の中心に合わせ、右手中指７７をガイド表示１７に合わせる。また、ユーザは、右手中指７７と隣り合う右手示指７６と右手薬指７８を軽く開いた状態で、撮像面から一定の距離（たとえば、５ｃｍ）離した空間上に右手中指７７を位置させる。このとき、右手示指７６と右手中指７７の間、および右手中指７７と右手薬指７８の間は開き、特徴部位３３ｂ，３３ｃは、明瞭である。
【０１２６】
図２３に示すユーザの姿勢は、右手中指７７を長軸として、右手のひら７４が撮像面に対してねじれがなく、特徴部位３３が明瞭であることから、撮像対象である右手の３指の特定を容易におこなえるほか、好適な生体情報（静脈像）を取得することが期待できる。したがって、情報処理装置１０は、生体情報の登録や照合を迅速かつ確実におこなうことができる。
【０１２７】
なお、図２３では、ユーザの右手の３指の静脈を撮像する場合について説明したが、左手の３指、あるいはその他の指の静脈を撮像する場合、あるいは静脈に代えて指紋を撮像する場合についても同様である。
【０１２８】
また、ユーザの右手の各指は、本体部１１の上面から一定の距離だけ離れた空間上に位置している。このため、情報処理装置１０は、キーボード１３やその他の操作部に指や手のひらが触れて誤操作を起こすことを抑制できる。
【０１２９】
ここで、生体情報取得部位としての３指からの生体情報の取得について図２４を用いて説明する。図２４は、第３の実施の形態の３指からの生体情報の取得の一例を説明する図である。
【０１３０】
第１特定領域３１に重なる位置から右手示指７６と右手中指７７と右手薬指７８の輪郭像が第２特定領域３２の方向に向かって延伸している。まず、この輪郭像より、３指のうち右手中指７７を除いた右手示指７６と右手薬指７８に対応する静脈画像部分を抽出する。
【０１３１】
認証制御部５１は、特徴部位３３ｂ，３３ｃを基準にした所定範囲を抽出範囲とすることで、右手示指７６に対応する静脈画像部分と右手薬指７８に対応する静脈画像部分とを容易に抽出することができる。
【０１３２】
認証制御部５１は、特徴部位３３ｂから延伸する右手示指７６の輪郭線の接線を求め、撮像範囲３０の左辺（ガイド表示１７に平行な線）との間でなす角度Ｒ１を求める。認証制御部５１は、右手示指７６に対応する静脈画像部分を角度Ｒ１だけ回転させて、右手中指７７に対応する静脈画像部分と向きを揃える。また、認証制御部５１は、特徴部位３３ｃから延伸する右手薬指７８の輪郭線の接線を求め、撮像範囲３０の左辺（ガイド表示１７に平行な線）との間でなす角度Ｒ２を求める。認証制御部５１は、右手薬指７８に対応する静脈画像部分を角度Ｒ２だけ回転させて、右手中指７７に対応する静脈画像部分と向きを揃える。これにより、認証制御部５１は、３指に対応するそれぞれの静脈画像部分の向きを揃えることができる。なお、右手中指７７に対応する静脈画像部分は、ガイド表示１７に平行である。
【０１３３】
このように、認証制御部５１は、ガイド表示１７に沿っていない指についても、ガイド表示１７に沿った方向に容易に補正することができる。また、各指の補正した生体情報（静脈画像部分）は、向きを統一して登録情報記憶部２５に登録情報として登録される。また、認証制御部５１は、照合時においても同様に各指の補正した生体情報（静脈画像部分）を照合情報とすることができるので、照合時に照合情報または登録情報を逐一回転補正することを要しない。したがって、情報処理装置１０は、複数の指を照合対象としても高速な処理を実現することができる。
【０１３４】
図２５は、第３の実施の形態の右手の３指の生体情報を登録する時のメッセージウインドウの一例を示す図である。メッセージウインドウ１３２は、情報処理装置１０が有するモニタ１５の表示画面に表示されるウインドウの一例である。メッセージウインドウ１３２は、ユーザの右手の３指（右手示指７６、右手中指７７、右手薬指７８）を撮像して取得した生体情報の登録に成功したことを通知するメッセージおよび画像を表示する。メッセージウインドウ１３２は、たとえば、「右手の人差指、中指、薬指の登録に成功しました。」というメッセージ１３３と、登録の際に撮像された右手示指７６の静脈、右手中指７７の静脈、および右手薬指７８の静脈を示す生体画像１３４を表示情報として含む。メッセージウインドウ１３２は、ＯＫボタン１３５などの操作アイコンを表示する。ユーザは、メッセージウインドウ１３２の表示内容を確認した場合、ＯＫボタン１３５を操作することにより、メッセージウインドウ１３２の表示を終了させることができる。
【０１３５】
なお、第３の実施の形態によっても、第２の実施の形態で述べたのと同様の効果を奏する。
［第４の実施の形態］
第４の実施の形態は、ネットワークを介して接続されたサーバと通信することにより生体認証をおこなう点で、第２の実施の形態と異なる。第４の実施の形態の説明では、第２の実施の形態との差異を中心に説明し、同様の事項については同一の符号を使用して説明を省略する。
【０１３６】
図２６は、第４の実施の形態の情報処理装置を示すブロック図である。
情報処理装置１０ａは、撮像情報取得部２１と、部位判定部２２と、登録情報生成部２３と、登録情報登録部２４と、照合情報生成部２６と、登録情報取得部２７と、照合部２８を有する。サーバ３００は、登録情報記憶部２５を有する。
【０１３７】
情報処理装置１０ａは、ＬＡＮ（Local Area Network）またはＷＡＮ（Wide Area Network）などの通信回線であるネットワーク１１０を介してサーバ３００と通信可能に接続し、サーバ３００が有する登録情報記憶部２５にアクセス可能である。
【０１３８】
これにより、第４の実施の形態によっても、第２の実施の形態で述べたのと同様の効果を奏する。
また、ネットワーク１１０を介して複数の情報処理装置で複数のユーザがそれぞれの登録情報を登録または更新する場合、サーバ３００が登録情報を集中管理することにより、セキュリティおよび管理効率をより高めることができる。
【０１３９】
また、各ユーザがネットワーク１１０を介して複数の情報処理装置で登録情報を登録および更新することも可能になるため、管理者およびユーザの利便性を高めることができる。
【０１４０】
また、予め生体情報を生体情報取得部位別に登録することにより、ネットワーク１１０を介して複数の情報処理装置で多数のユーザが１対Ｎ照合をおこなう際に、生体情報取得部位別に照合対象となる生体情報を絞り込むことができる。このため、情報処理装置１０ａは、認証処理の負荷を抑制することができる。すなわち、情報処理装置１０ａは、１対Ｎ照合をおこなう場合に高速で照合することができるため、ユーザの利便性を増加させることができる。
【０１４１】
また、１対Ｎ照合の処理時間は、登録されている登録情報の数（Ｎ）に比例する。このため、情報処理装置１０ａは、照合に要する時間や認証処理に要する時間の増加を抑制しながら、生体情報取得部位別の生体情報の数を増加させることができる。
【０１４２】
なお、上記の処理機能は、コンピュータによって実現することができる。その場合、情報処理装置１，１０，１０ａが有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記憶装置、光ディスク、光磁気記録媒体、半導体メモリなどがある。磁気記憶装置には、ハードディスク装置（ＨＤＤ）、フレキシブルディスク（ＦＤ）、磁気テープなどがある。光ディスクには、ＤＶＤ、ＤＶＤ−ＲＡＭ、ＣＤ−ＲＯＭ／ＲＷなどがある。光磁気記録媒体には、ＭＯ（Magneto-Optical disk）などがある。
【０１４３】
プログラムを流通させる場合には、たとえば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【０１４４】
プログラムを実行するコンピュータは、たとえば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、ネットワークを介して接続されたサーバコンピュータからプログラムが転送される毎に、逐次、受け取ったプログラムに従った処理を実行することもできる。
【０１４５】
また、上記の処理機能の少なくとも一部を、ＤＳＰ、ＡＳＩＣ、ＰＬＤなどの電子回路で実現することもできる。
上記については単に本発明の原理を示すものである。更に、多数の変形や変更が当業者にとって可能であり、本発明は上記に示し、説明した正確な構成および応用例に限定されるものではなく、対応するすべての変形例および均等物は、添付の請求項およびその均等物による本発明の範囲とみなされる。
【符号の説明】
【０１４６】
１  情報処理装置
２  撮像情報取得部
３  部位判定部
４  撮像情報
５  第１特定領域に対応する撮像情報
６  第２特定領域に対応する撮像情報
７  撮像範囲
８ａ  第１特定領域
８ｂ  第２特定領域
９  生体
【図１】
0005907283.tif 000002
【図２】
0005907283.tif 000003
【図３】
0005907283.tif 000004
【図４】
0005907283.tif 000005
【図５】
0005907283.tif 000006
【図６】
0005907283.tif 000007
【図７】
0005907283.tif 000008
【図８】
0005907283.tif 000009
【図９】
0005907283.tif 000010
【図１０】
0005907283.tif 000011
【図１１】
0005907283.tif 000012
【図１２】
0005907283.tif 000013
【図１３】
0005907283.tif 000014
【図１４】
0005907283.tif 000015
【図１５】
0005907283.tif 000016
【図１６】
0005907283.tif 000017
【図１７】
0005907283.tif 000018
【図１８】
0005907283.tif 000019
【図１９】
0005907283.tif 000020
【図２０】
0005907283.tif 000021
【図２１】
0005907283.tif 000022
【図２２】
0005907283.tif 000023
【図２３】
0005907283.tif 000024
【図２４】
0005907283.tif 000025
【図２５】
0005907283.tif 000026
【図２６】
0005907283.tif 000027